(57)【要約】【課題】ベール及びプルタブの着脱を行うことができる光トランシーバの挿抜機構を提供する。【解決手段】一実施形態の光トランシーバの挿抜機構は、ホストシステムのケージに係合される光トランシーバの挿抜機構である。この挿抜機構は、光コネクタを受容する光レセプタクル４を一端に有すると共に、ホストシステムと電気的通信を行う電気プラグ６ａを他端に有するトランシーバ本体２と、トランシーバ本体２の長手方向に沿って直線移動してケージに対するトランシーバ本体２の係合を解除するスライダ３と、を備える。スライダ３は、スライダ３に対して回転するベールの突出部の着脱、及びトランシーバ本体２から伸び出すプルタブ３０のラッチ３３ａの着脱が可能な孔部３ｂを有する。【選択図】図９
2018081767.tif 000002
【特許請求の範囲】
【請求項１】
ホストシステムのケージに係合される光トランシーバの挿抜機構であって、
光コネクタを受容する光レセプタクルを一端に有すると共に、前記ホストシステムと電気的通信を行う電気プラグを他端に有するトランシーバ本体と、
前記トランシーバ本体の長手方向に沿って直線移動して前記ケージに対する前記トランシーバ本体の係合を解除するスライダと、
を備え、
前記スライダは、前記スライダに対して回転するベールの突出部の着脱、及び前記トランシーバ本体から伸び出すプルタブのラッチの着脱が可能な孔部を有する、
光トランシーバの挿抜機構。
【請求項２】
前記スライダは、前記ベール及び前記プルタブのいずれかを取り付けるピンが挿通される長円孔を有する、
請求項１に記載の光トランシーバの挿抜機構。
【請求項３】
前記スライダは、前記長手方向に沿って後方位置と前方位置の間を直線移動し、前記後方位置において前記ケージと係合し、
前記スライダを前記後方位置に設定するバネを更に有する、
請求項１又は２に記載の光トランシーバの挿抜機構。
【請求項４】
前記スライダは、前記トランシーバ本体の溝に前記長手方向にスライド自在に挿入される突起を更に有する、
請求項１〜３のいずれか一項に記載の光トランシーバの挿抜機構。
【発明の詳細な説明】
【技術分野】
【０００１】
本発明は、光トランシーバの挿抜機構に関するものである。
【背景技術】
【０００２】
特許文献１には、ホストシステムのケージに対する解除機構を備えた光トランシーバが記載されている。この解除機構は、スライダに回転自在に取り付けられたベールを備えており、ベールが前方且つ下方に回転したときにケージに対する光トランシーバの係合を解除する。
【０００３】
特許文献２には、交換可能なマーカーが形成されたプルタブを有するプラガブル通信モジュールが記載されている。プルタブは、交換可能なマーカーが配置される領域を備える。プルタブは、ハウジングから伸び出しており、プルタブを引き出すことによりスライダが直線移動してケージに対するプラガブル通信モジュールの係合を解除する。
【先行技術文献】
【特許文献】
【０００４】
【特許文献１】米国公開公報２０１６／０２５２６９１号明細書
【特許文献２】米国公開公報２０１５／００９２３２７号明細書
【発明の概要】
【発明が解決しようとする課題】
【０００５】
ところで、光トランシーバでは、ベールをプルタブに交換したり、又はプルタブをベールに交換したりすることが求められると想定される。しかしながら、前述した光トランシーバ及びプラガブル通信モジュールは、ベール及びプルタブの着脱を行える構成を備えていない。
【０００６】
本発明は、ベール及びプルタブの着脱を行うことができる光トランシーバの挿抜機構を提供することを目的とする。
【課題を解決するための手段】
【０００７】
本発明の一形態に係る光トランシーバの挿抜機構は、ホストシステムのケージに係合される光トランシーバの挿抜機構であって、光コネクタを受容する光レセプタクルを一端に有すると共に、ホストシステムと電気的通信を行う電気プラグを他端に有するトランシーバ本体と、トランシーバ本体の長手方向に沿って直線移動してケージに対するトランシーバ本体の係合を解除するスライダと、を備え、スライダは、スライダに対して回転するベールの突出部の着脱、及びトランシーバ本体から伸び出すプルタブのラッチの着脱が可能な孔部を有する。
【発明の効果】
【０００８】
本発明の一形態では、ベール及びプルタブの着脱を行うことができる。
【図面の簡単な説明】
【０００９】
【図１】図１は、実施形態に係る光トランシーバのトランシーバ本体を示す斜視図である。
【図２】図２は、ハウジング、レセプタクル及びスライダを示す側面図である。
【図３】図３は、スライダ、上ハウジング、及び下ハウジングを示す側面図である。
【図４】図４は、スライダを引き戻すバネを示す平面図である。
【図５】図５は、スライダに取り付けられるベールを示す斜視図である。
【図６】図６は、図５のベールにピンが取り付けられた状態を示す斜視図である。
【図７】図７は、スライダに取り付けられたベールを示す側面図である。
【図８】図８は、図７のベールを回転させた状態を示す側面図である。
【図９】図９は、スライダに取り付けられるプルタブを示す斜視図である。
【図１０】図１０は、プルタブが取り付けられたトランシーバ本体を示す斜視図である。
【図１１】図１１は、プルタブ、スライダ、及びハウジングを示す斜視図である。
【図１２】図１２は、プルタブ、スライダ、及びハウジングを示す側面図である。
【図１３】図１３は、プルタブとスライダとの接合構造を示す斜視図である。
【図１４】図１４は、図１３のプルタブにピンが取り付けられた状態を示す側面図である。
【図１５】図１５は、図１４のプルタブ及びスライダをスライドした状態を示す側面図である。
【発明を実施するための形態】
【００１０】
以下、添付図面を参照しながら、本発明に係る光トランシーバの挿抜機構の実施形態について詳細に説明する。なお、図面の説明において、同一又は相当する要素には同一の符号を付し、重複する説明を省略する。
【００１１】
図１は、実施形態に係る光トランシーバ１の斜視図である。光トランシーバ１は、ホストシステムのケージに挿入して使用される。光トランシーバ１は、全二重双方向光通信を行う。光トランシーバ１の構成はＳＦＰ規格に準拠している。図１に示すように、光トランシーバ１は、金属製のトランシーバ本体２と、トランシーバ本体２のケージへの係合を解除するスライダ３と、トランシーバ本体２の一端に位置する光レセプタクル４を備える。
【００１２】
トランシーバ本体２は、直方体状を有する。トランシーバ本体２には、光サブアセンブリ及び電子回路等が収容される。トランシーバ本体２は、スライダ３を組み付けた下ハウジング６と、下ハウジング６を封止する上ハウジング７を含んでいる。光レセプタクル４は、下ハウジング６の一端に設けられており、光レセプタクル４は、２本の光ファイバケーブルの先端に付属する光コネクタを受容する。
【００１３】
下ハウジング６の他端に、ホストシステムと電気的通信を行う電気プラグ６ａを有する。光レセプタクル４に２本の光コネクタを係合することにより、下ハウジング６の内部の電気回路と光ファイバケーブルとの通信が可能となる。光コネクタ及び光レセプタクル４は、共に、ＬＣ型光コネクタの規格に準拠する形状を有する。以降の説明では、光レセプタクル４を有する側を前方、電気プラグ６ａを有する側を後方と称することがある。
【００１４】
図２及び図３に示すように、スライダ３の光レセプタクル４側の端部には、突起３ａと、突起３ａの下方で上方に向かうに従って前方に湾曲する孔部３ｂと、孔部３ｂの下方で光トランシーバ１の挿抜方向Ａ１に延びる長円孔３ｃを有する。スライダ３の電気プラグ６ａ側の端部には、上ハウジング７に形成されたガイド溝７ａにおいて挿抜方向Ａ１に移動する突起３ｄを有する。
【００１５】
突起３ｄがガイド溝７ａにおいて挿抜方向Ａ１にスライドすることにより、スライダ３は下ハウジング６及び上ハウジング７に対して挿抜方向Ａ１に移動する。スライダ３は、下ハウジング６及び上ハウジング７に対する前方位置及び後方位置の間で直線的に移動する。スライダ３は、定常状態（力を作用させていない状態）で後方位置にあり、後述するベール又はプルタブによって力を作用させている状態で前方位置にある。スライダ３が後方位置にあるときに、光トランシーバ１はケージと係合し、スライダ３が前方位置にあるときに初めて光トランシーバ１をケージから抜き取ることができる。
【００１６】
図４は、下ハウジング６の光レセプタクル４側の端部を示す底面図である。図４では、スライダ３及び光レセプタクル４の図示を省略している。下ハウジング６は、帯状の金属部材を折り曲げて形成した一対のバネ１０を有する。バネ１０は、下ハウジング６の前方に延び出した凹部６ｂに入り込んでいる。バネ１０は、スライダ３を後方位置に位置させる力をスライダ３に与える。各バネ１０は、９０°に曲げられた折り曲げ部１０ａを４箇所に有することにより、一対のバネ１０で高い引っ張り力をスライダ３に与えることができる。
【００１７】
光トランシーバ１は、後述するベール及びプルタブを脱着自在である。図５及び図６は、光トランシーバ１に対するベール２０の取付を説明する図である。図５及び図６に示すように、ベール２０は、光レセプタクル４を下ハウジング６の幅方向に掛け渡す取手部２１と、取手部２１の両端で折り曲げられてスライダ３に回転自在に連結する連結部２２を備える。
【００１８】
連結部２２は、光レセプタクル４の側面に沿って上下に延びており、連結部２２の下部には、ベール２０をスライダ３に連結するピンＰが挿し込まれる孔部２２ａを有する。連結部２２は、更に、後方且つ斜め上方に延びる引掛部２２ｂと、連結部２２の内側に折り曲げられた突出部２２ｃを有する。ベール２０は、孔部２２ａを長円孔３ｃに位置合わせし、引掛部２２ｂを突起３ａの後方に位置して、突出部２２ｃを孔部３ｂに挿入し、孔部２２ａ及び長円孔３ｃにピンＰを挿入することによりスライダ３に回転自在に連結する。このように光トランシーバ１にベール２０を取り付けることが可能である。
【００１９】
図７及び図８に示すように、スライダ３が後方位置にある定常状態からベール２０の取手部２１を前方且つ下方に回転すると、引掛部２２ｂが突起３ａを乗り越えて前方に移動し、突出部２２ｃが孔部３ｂに沿って上方且つ前方に移動して、スライダ３が引っ張られて前方位置に移動する。これにより、光トランシーバ１をケージから抜き取ることができる。一方、取手部２１を上方に上げると、スライダ３が後方に押し込まれる。そして、取手部２１を後方に押すことにより、引掛部２２ｂが突起３ａを乗り越えて後方に移動し、突出部２２ｃが孔部３ｂに沿って後方且つ下方に移動して、スライダ３が後方位置に戻る。
【００２０】
図９及び図１０は、トランシーバ本体２に対するプルタブ３０の取付を説明する図である。プルタブ３０は樹脂製である。プルタブ３０は、挿抜方向Ａ１に延び出す一対のアーム３１と、アーム３１の先端を連結する取手部３２と、アーム３１の後側においてスライダ３に連結する連結部３３を備える。
【００２１】
連結部３３は、各アーム３１の一端からスライダ３に沿って下方に延びている。連結部３３は、孔部３ｂに嵌め込まれるラッチ３３ａと、ラッチ３３ａの下方において挿抜方向Ａ１に延びる長円孔３３ｂを有する。連結部３３は、更に、連結部３３の後端において下方に突出する突出部３３ｃを有する。
【００２２】
図１１及び図１２に示すように、プルタブ３０は、突出部３３ｃを下ハウジング６の凹部６ｂにおけるバネ１０の後方に挿入し、ラッチ３３ａを孔部３ｂの前端且つ上端に嵌め込む。これによりスライダ３に対するプルタブ３０の上下方向及び幅方向への移動を規制し、長円孔３３ｂを長円孔３ｃに位置合わせする。そして、図１３及び図１４に示すように、長円孔３３ｂ及び長円孔３ｃにピンＰを挿し込むことにより、連結部３３をスライダ３に連結する。このようにしてトランシーバ本体２にプルタブ３０を取り付ける。
【００２３】
図１４及び図１５に示すように、スライダ３が後方位置にある定常状態から手でプルタブ３０を前方に引くと、突出部３３ｃがバネ１０の付勢力に抗して前方に移動し、スライダ３が前方位置に引っ張られる。これにより、光トランシーバ１をケージから抜き取ることができる。プルタブ３０から手を離すと、バネ１０の付勢力により、突出部３３ｃが後方に引き戻されてスライダ３が後方位置に戻る。
【００２４】
ところで、従来の光トランシーバでは、プルタブは、所定の位置に配置された後に下ハウジングをネジ止めすることによってトランシーバ本体に固定されていた。従って、トランシーバ本体からプルタブを取り外す場合には、ネジを外して下ハウジングを分解する必要があり、プルタブを容易に取り外すことができないという問題があった。
【００２５】
これに対し、本実施形態に係る光トランシーバでは、スライダ３は、スライダ３に対して回転するベール２０の突出部２２ｃの着脱、及びトランシーバ本体２から伸び出すプルタブ３０のラッチ３３ａの着脱が可能な孔部３ｂを有する。よって、孔部３ｂに突出部２２ｃを取り付けることでスライダ３に対するベール２０の取り付けを容易に行うことができ、孔部３ｂにラッチ３３ａを係合することによってスライダ３にプルタブ３０を容易に取り付けることができる。
【００２６】
また、スライダ３は、ベール２０及びプルタブ３０のいずれかをスライダ３に取り付けるピンＰが挿通される長円孔３ｃを有する。従って、ベール２０及びプルタブ３０のいずれかを長円孔３ｃに位置合わせしてピンＰを挿通することにより、スライダ３にベール２０及びプルタブ３０のいずれかを容易に取り付けることができる。また、ピンＰを外すことにより、スライダ３に取り付けたベール２０及びプルタブ３０のいずれかを容易に取り外すことができる。
【００２７】
また、スライダ３は、トランシーバ本体２の長手方向に沿って後方位置と前方位置の間を直線移動し、後方位置においてケージと係合する。そして、光トランシーバ１は、スライダ３を後方位置に設定するバネ１０を有する。これにより、力が作用していない状態において、スライダ３は常に後方に引き寄せられるので、ケージへの係合を一層確実に維持することができる。
【００２８】
また、スライダ３は、トランシーバ本体２のガイド溝７ａに長手方向にスライド自在に挿入される突起３ａを有する。これにより、スライダ３は長手方向にスライドするので、スライダ３を引っ張ったときにスライダ３を左右に広がらないようにすることができる。
【００２９】
以上、本発明に係る実施形態について説明したが、本発明は前述した各実施形態に限定されない。すなわち、特許請求の範囲に記載された本発明の要旨の範囲内において種々の変形及び変更が可能であることは、当業者によって容易に認識される。
【符号の説明】
【００３０】
１…光トランシーバ、２…トランシーバ本体、３…スライダ、３ａ…突起、３ｂ…孔部、３ｃ…長円孔、３ｄ…突起、４…光レセプタクル、６…下ハウジング、６ａ…電気プラグ、６ｂ…凹部、７…上ハウジング、７ａ…ガイド溝、１０…バネ、１０ａ…折り曲げ部、２０…ベール、２１…取手部、２２…連結部、２２ａ…孔部、２２ｂ…引掛部、２２ｃ…突出部、３０…プルタブ、３１…アーム、３２…取手部、３３…連結部、３３ａ…ラッチ、３３ｂ…長円孔、３３ｃ…突出部、Ａ１…挿抜方向、Ｐ…ピン。
【図１】
2018081767.tif 000003
【図２】
2018081767.tif 000004
【図３】
2018081767.tif 000005
【図４】
2018081767.tif 000006
【図５】
2018081767.tif 000007
【図６】
2018081767.tif 000008
【図７】
2018081767.tif 000009
【図８】
2018081767.tif 000010
【図９】
2018081767.tif 000011
【図１０】
2018081767.tif 000012
【図１１】
2018081767.tif 000013
【図１２】
2018081767.tif 000014
【図１３】
2018081767.tif 000015
【図１４】
2018081767.tif 000016
【図１５】
2018081767.tif 000017